(57)【要約】【課題】自動調理可能な調理メニューを増やしたコンロを提供する。【解決手段】火力を、大火である火力「３」と、小火である火力「１」とに切替え制御して、温度センサによって検出される鍋の温度を、高温側設定温度ＴＵと低温側設定温度ＴＬとで規定される温度範囲で上昇及び下降させると共に、下降温度勾配に基づいて、高温側設定温度ＴＵと低温側設定温度ＴＬとを更新するようにしている。【選択図】図４
2014211262.tif 000002
【特許請求の範囲】
【請求項１】
調理容器を加熱する加熱手段と、前記調理容器の温度を検出する温度検出手段と、前記温度検出手段によって検出される検出温度に基づいて、前記加熱手段を制御する制御手段とを備えるコンロであって、
所定の調理モードが設定される調理モード設定手段を備え、
前記制御手段は、前記所定の調理モードが設定されると、前記加熱手段による加熱力を切替え制御して、前記検出温度を、高温側の設定温度と低温側の設定温度とによって規定される温度範囲で上昇及び下降させると共に、前記検出温度の前記上昇及び／又は前記下降の温度勾配に基づいて、前記高温側の設定温度及び／又は低温側の設定温度を更新する、
ことを特徴とするコンロ。
【請求項２】
前記所定の調理モードが、ケーキを調理するケーキ調理モードである、
請求項１に記載のコンロ。
【請求項３】
前記高温側の設定温度及び／又は低温側の設定温度を、変更設定可能な設定部を備える、
請求項１又は２に記載のコンロ。
【請求項４】
前記制御手段は、前記加熱手段による加熱力を、第１の加熱力と、該第１の加熱力よりも弱い第２の加熱力とに切替え制御するものであって、前記第１の加熱力によって、前記検出温度を高温側の設定温度まで上昇させ、前記第２の加熱力によって、前記検出温度を低温側の設定温度まで下降させる、
請求項１ないし３のいずれかに記載のコンロ。
【請求項５】
前記制御手段は、前記第１の加熱力による加熱時間を積算する積算部を有し、
前記制御手段は、前記積算部で積算される加熱時間が所定時間以上になったときには、前記加熱手段による加熱力を前記第２の加熱力に強制的に切替えると共に、前記第１の加熱力への切替えを行わない、
請求項４に記載のコンロ。
【請求項６】
前記制御手段は、前記検出温度の前記下降の温度勾配に基づいて、前記高温側の設定温度及び／又は低温側の設定温度を更新するものであって、前記下降の温度勾配が緩やかになるに連れて低い温度に更新する、
請求項１ないし５のいずれかに記載のコンロ。
【請求項７】
前記制御手段は、前記所定の調理モードにおける前記加熱手段による加熱開始からの経過時間が、前記所定の調理モードに応じた設定時間になると、前記加熱手段による加熱を停止する、
請求項１ないし６のいずれかに記載のコンロ。
【請求項８】
前記設定時間が設定されるタイマ設定部を備える、
請求項７に記載のコンロ。
【請求項９】
前記経過時間が、前記設定時間になるまでの残り時間を表示する残り時間表示部を備える、
請求項７又は８に記載のコンロ。
【発明の詳細な説明】
【技術分野】
【０００１】
本発明は、ガス式あるいは電気式のコンロに関する。
【背景技術】
【０００２】
従来から、バーナの火力を自動的に調節しながら、揚げ物、炊飯、湯沸し等の自動調理を行うガスコンロが提案されている（例えば、特許文献１参照）。
【先行技術文献】
【特許文献】
【０００３】
【特許文献１】特開２０１１−６４４０８号公報
【発明の概要】
【発明が解決しようとする課題】
【０００４】
ガスコンロは、一般的に多くの家庭に備えられているので、自動調理できる調理メニューを増やして、ガスコンロの用途を広げることが望まれる。
【０００５】
一般に、オーブンで一定の設定温度で調理される調理メニュー、例えば、スポンジケーキは、通常、設定温度を、１６０℃〜１７０℃にしたオーブンで調理されるが、かかるスポンジケーキを、オーブンではなく、コンロで調理できれば、上記のようにコンロを多用途で利用できることになり、好都合である。
【０００６】
本発明は、上記のような点に鑑みて為されたものであって、自動調理可能な調理メニューを増やしたコンロを提供することを目的とする。
【課題を解決するための手段】
【０００７】
本件発明者らは、上記目的を達成すべく鋭意研究を行った結果、鍋等の調理容器の検出温度を、高温側の設定温度と低温側の設定温度とによって規定される温度範囲で上昇及び下降させるように、加熱力を切替え制御すると共に、前記上昇及び／又は下降の温度勾配に基づいて、前記高温側の設定温度及び／又は低温側の設定温度を更新することによって、通常、オーブンで一定の設定温度で調理される、例えば、スポンジケーキ等の調理をコンロで自動調理できることを見出し、本発明を完成するに至った。
【０００８】
すなわち、オーブンで一定の設定温度で調理される、例えば、スポンジケーキ等の自動調理をコンロで行う場合には、調理容器の検出温度を、一定の設定温度に維持するように加熱力を制御することが考えられるが、前記一定の設定温度が高過ぎると、調理容器内の加熱対象物の底面が焦げ過ぎたり、逆に、前記一定の設定温度が低過ぎると、前記加熱対象物の内部までムラなく加熱することができず、例えば、スポンジケーキでは、焼き上がりの膨らみが不足してしまう。
【０００９】
（１）そこで、本発明は、調理容器を加熱する加熱手段と、前記調理容器の温度を検出する温度検出手段と、前記温度検出手段によって検出される検出温度に基づいて、前記加熱手段を制御する制御手段とを備えるコンロであって、
所定の調理モードが設定される調理モード設定手段を備え、
前記制御手段は、前記所定の調理モードが設定されると、前記加熱手段による加熱力を切替え制御して、前記検出温度を、高温側の設定温度と低温側の設定温度とによって規定される温度範囲で上昇及び下降させると共に、前記検出温度の前記上昇及び／又は前記下降の温度勾配に基づいて、前記高温側の設定温度及び／又は低温側の設定温度を更新する。
【００１０】
高温側の設定温度及び低温側の設定温度は、所定の調理モードに応じた設定温度であればよい。
検出温度の前記上昇及び／又は前記下降の温度勾配は、温度範囲毎に取得し、取得した前記上昇及び／又は前記下降の温度勾配に基づいて、次の温度範囲を規定する前記高温側の設定温度及び／又は低温側の設定温度を更新するのが好ましい。
【００１１】
本発明によると、加熱力を切替え制御して、調理容器の検出温度を、高温側の設定温度と低温側の設定温度とによって規定される温度範囲で上昇及び下降させるので、調理容器の検出温度を、一定の設定温度になるように制御する場合のように、前記一定の設定温度が高過ぎて、調理容器内の加熱対象物の底面が焦げ過ぎたり、逆に、前記一定の設定温度が低過ぎて、前記加熱対象物の内部までムラなく加熱することができないといったことを防止することができる。
【００１２】
また、調理の進行に伴って、調理容器の検出温度の前記上昇又は前記下降の温度勾配は変化するが、本発明によると、前記検出温度の前記上昇及び／又は前記下降の温度勾配に基づいて、前記高温側の設定温度及び／又は低温側の設定温度を更新するので、調理の進行に伴って、高温側の設定温度と低温側の設定温度とによって規定される温度範囲を適切な温度範囲に更新することができ、調理容器の検出温度を、更新される適切な温度範囲で上昇及び下降させることができる。
【００１３】
これによって、例えば、オーブンで一定の設定温度で調理されるような調理であっても、本発明のコンロによって、調理容器内の加熱対象物の底面の焦げを抑制しつつ、前記加熱対象物の内部までムラなく加熱することができ、良好な仕上がり状態で調理することができる。
【００１４】
（２）本発明の好ましい実施態様では、前記所定の調理モードが、ケーキを調理するケーキ調理モードである。
【００１５】
この実施態様によると、ケーキ調理モードでは、例えば、スポンジケーキの底面の焦げを抑制しつつ、前記加熱対象物の内部までムラなく加熱できるので、焼き上がりが膨らみ不足となることもなく、良好な仕上がり状態となる。
【００１６】
（３）本発明の他の実施態様では、前記高温側の設定温度及び／又は低温側の設定温度を、変更設定可能な設定部を備える。
【００１７】
この実施態様によると、調理容器に入れられる加熱対象物、例えば、スポンジケーキの生地の温度状態や種類などに応じて、高温側の設定温度及び／又は低温側の設定温度を変更設定して、加熱対象物の仕上がり状態を調整することができる。
【００１８】
（４）本発明の更に他の実施態様では、前記制御手段は、前記加熱手段による加熱力を、第１の加熱力と、該第１の加熱力よりも弱い第２の加熱力とに切替え制御するものであって、前記第１の加熱力によって、前記検出温度を高温側の設定温度まで上昇させ、前記第２の加熱力によって、前記検出温度を低温側の設定温度まで下降させる。
【００１９】
この実施態様によると、強めの加熱力である第１の加熱力と、弱めの加熱力である第２の加熱力とに切替え制御して、調理容器の検出温度を、高温側の設定温度と低温側の設定温度とによって規定される温度範囲で上昇及び下降させて調理することができる。
【００２０】
（５）上記（４）の実施態様では、前記制御手段は、前記第１の加熱力による加熱時間を積算する積算部を有し、前記制御手段は、前記積算部で積算される加熱時間が所定時間以上になったときには、前記加熱手段による加熱力を前記第２の加熱力に強制的に切替えると共に、前記第１の加熱力への切替えを行わないようにするのが好ましい。
【００２１】
この実施態様によると、強めの加熱力である第１の加熱力による加熱時間の積算値が、所定時間以上になると、調理容器内の加熱対象物の底面が焦げ過ぎないように、弱めの加熱力である第２の加熱力に強制的に切替えて、第１の加熱力への切替えを行わないようにするので、加熱対象物の底面が焦げ過ぎることがなく、良好な仕上がり状態となる。
【００２２】
（６）本発明の更に他の実施態様では、前記制御手段は、前記検出温度の前記下降の温度勾配に基づいて、前記高温側の設定温度及び／又は低温側の設定温度を更新するものであって、前記下降の温度勾配が緩やかになるに連れて低い温度に更新する。
【００２３】
調理容器の検出温度の下降時は上昇時に比べて、加熱力が弱いので、調理容器の検出温度と調理容器内の加熱対象物の温度との温度差が小さく、前記加熱対象物の温度が、調理容器の検出温度としてより適確に反映される。
【００２４】
この実施態様によると、調理容器の検出温度の下降の温度勾配に基づいて設定温度を更新するので、上昇の温度勾配に基づいて設定温度を更新する場合に比べて、調理容器内の加熱対象物の温度に即した加熱力の切替え制御が可能となる。
【００２５】
また、調理容器の検出温度の下降の温度勾配が緩やかになるに連れて、低い温度に更新するので、調理の進行に伴って、高温側の設定温度及び／又は低温側の設定温度が、低い温度に更新されることになる。したがって、調理容器内の加熱対象物の内部への加熱が進むに連れて、高温側の設定温度及と低温側の設定温度とによって規定される温度範囲が、低めの適切な温度範囲に更新され、調理容器の検出温度が、この適切な温度範囲に制御されることになる。
【００２６】
（７）本発明の更に他の実施態様では、前記制御手段は、前記所定の調理モードにおける前記加熱手段による加熱開始からの経過時間が、前記所定の調理モードに応じた設定時間になると、前記加熱手段による加熱を停止する。
【００２７】
この実施態様によると、加熱開始からの経過時間が、所定の調理モードに応じた設定時間になると、加熱手段による加熱を停止するので、加熱し過ぎによる調理の失敗を防止することができる。
【００２８】
（８）上記（７）の実施態様では、前記設定時間が設定されるタイマ設定部を備えるようにしてもよい。
【００２９】
この実施態様によると、タイマ設定部を備えるので、調理容器に入れられる加熱対象物の温度状態や種類などに応じて、前記タイマ設定部で設定時間を設定して、加熱対象物の仕上がり状態を調整することができる。
【００３０】
（９）上記（７）又は（８）の実施態様では、前記経過時間が、前記設定時間になるまでの残り時間を表示する残り時間表示部を備えるようにしてもよい。
【００３１】
この実施態様によると、使用者は、残り時間表示部によって、調理の残り時間を目視確認できるので、誤操作等による調理の失敗が防止できる。また、調理中に、調理の残り時間を認識できるので、調理の段取りを効率的に行え、使い勝手がよい。
【発明の効果】
【００３２】
このように、本発明によれば、加熱力を切替え制御して、調理容器の検出温度を、高温側の設定温度と低温側の設定温度とによって規定される温度範囲で上昇及び下降させるので、調理容器の検出温度を、一定の設定温度になるように制御する場合のように、調理容器内の加熱対象物の底面が焦げ過ぎたり、逆に、前記加熱対象物の内部までムラなく加熱することができないといったことを防止することができる。
【００３３】
また、調理容器の検出温度の前記上昇及び／又は前記下降の温度勾配に基づいて、前記高温側の設定温度及び／又は低温側の設定温度を更新するので、調理の進行に伴って、高温側の設定温度及と低温側の設定温度とによって規定される温度範囲を適切な温度範囲に更新し、調理容器の検出温度を、更新される適切な温度範囲で上昇及び下降させることができる。
【００３４】
これによって、例えば、オーブンで一定の設定温度で調理されるような調理であっても、調理容器内の加熱対象物の底面の焦げを抑制しつつ、前記加熱対象物の内部までムラなく加熱することができ、良好な仕上がり状態で調理することができる。
【図面の簡単な説明】
【００３５】
【図１】本発明の一実施形態に係るグリル付きガスコンロの斜視図である。
【図２】図１の加熱調理器の燃料供給路の説明図である。
【図３】ガスコンロ用調理設定入力部の正面図である。
【図４】ケーキ調理モードの鍋の温度及び火力の変化を示す図である。
【図５】図４の動作を説明するためのフローチャートである。
【図６】制御部に格納されているテーブルの一例を示す図である。
【図７】ケーキ調理モードの鍋の温度及び火力の変化の他の例を示す図である。
【発明を実施するための形態】
【００３６】
以下、本発明の実施形態について図面を参照しながら説明する。
【００３７】
この実施形態では、グリル付きガスコンロに適用して説明する。
【００３８】
図１は、本発明の一実施形態に係るグリル付きガスコンロＡの斜視図である。このグリル付きガスコンロＡは、コンロ本体１の上部に、最大火力の異なるコンロバーナからなる３つのガスコンロ部２ａ〜２ｃを備え、コンロ本体１の左右中央には、グリルバーナ（図示せず）を内装すると共に、グリル扉３ａを前方に備えるグリル皿（図示せず）を前面から出し入れ可能に装着したグリル３を備えている。
【００３９】
このグリル付きガスコンロＡは、図示しないキッチンキャビネットに落とし込み装着されるビルトインタイプである。
【００４０】
コンロ本体１の上部は、天板４で覆われると共に、コンロ奥端の上面にグリル３の燃焼排ガスを排出するためのグリル排気口５が設けられている。
【００４１】
この実施形態では、天板４の手前側の左右に配設したガスコンロ部２ａ，２ｂの一方（左側）が、標準火力のガスコンロ部２ａとなっており、他方(右側)が、高火力のガスコンロ部２ｂとなっている。また、奥側の中央部に配設したガスコンロ部２ｃが、小火力のガスコンロ部２ｃとなっている。各ガスコンロ部２ａ〜２ｃには、調理容器、例えば鍋の底部の温度を検出するサーミスタからなる温度センサ７ａ〜７ｃがそれぞれ装備されていると共に、対応する五徳６ａ〜６ｃがそれぞれ載置されている。
【００４２】
各ガスコンロ部２ａ〜２ｃには、図示していないが、コンロバーナに点火する点火装置としての点火プラグと、コンロバーナの着火を検出する着火検出装置としての熱電対とが設けられ、グリル３にも同様に、グリルバーナに点火する点火装置としての点火プラグと、グリルバーナの着火を検出する着火検出装置としての熱電対が設けられる。点火プラグは、後述する加熱状態調節部１２ａ〜１２ｃにおける点火操作によってマイクロコンピュータからなる制御部１１（図２参照）により点火動作が行われ、熱電対において検出された着火（点火）情報は制御部１１に認識されて、制御部１１により点火プラグでの点火処理を終了する。
【００４３】
各コンロバーナ及びグリルバーナには、図２に示すように、都市ガス等のガス燃料を供給する燃料供給路８からそれぞれ分岐する分岐供給路８ａが接続されている。なお、この図２では、ガスコンロ部２ａのコンロバーナのみを代表的に示している。燃料供給路８には、電磁弁９が設けられると共に、各分岐供給路８ａには、ガス燃料の供給量の調節を行うためステッピングモータにより駆動されて弁体の開度位置の微調整が可能な流量制御弁１０と、前記弁体の開度位置を検出する位置センサ（図示せず）が設けられている。電磁弁９及び流量制御弁１０は、制御部１１によって制御され、位置センサにおける検出情報は、制御部１１によって認識・処理される。また、流量制御弁１０は、対応するコンロバーナ又はグリルバーナが使用されない時には、流量を零にして遮断状態となるように切り換えられる。
【００４４】
図１に示すように、コンロ本体１の前面の左右上部には、各ガスコンロ部２ａ〜２ｃのコンロバーナの点火、消火、火力調節の操作をそれぞれ行うための３つの加熱状態調節部１２ａ〜１２ｃが設けられている。この実施形態では、前面の左側に、標準火力のガスコンロ部２ａの加熱状態調節部１２ａを配設し、前面の右側に、高火力のガスコンロ部２ｂの加熱状態調節部１２ｂ及び小火力のガスコンロ部２ｃの加熱状態調節部１２ｃを配設している。
【００４５】
また、前面の右側上部には、制御部１１をはじめ電磁弁９や流量制御弁１０、入力部や加熱状態調節部１２ａ〜１２ｃ等の各部への通電の入切を行う自動復帰型で押し釦式の電源スイッチ１３が設けられている。
【００４６】
上記各加熱状態調節部１２ａ〜１２ｃは、前後方向に移動自在な押釦により構成され、ガスコンロ部２ａ〜２ｃの使用に当たっては、押釦よりなる加熱状態調節部１２ａ〜１２ｃを押圧して点火操作をすることで、後退していた加熱状態調節部１２ａ〜１２ｃが前方に突出して器具栓がＯＮとなり、流出するガス燃料にスパーク放電がなされてガスコンロ部２ａ〜２ｃのコンロバーナに点火される。
【００４７】
この押釦よりなる加熱状態調節部１２ａ〜１２ｃが前方に突出した状態で加熱状態調節部１２ａ〜１２ｃを指で摘んで回動操作すると、前記回動角度がロータリーエンコーダにより検出されて制御部１１に認識され、前記回動角度に応じた開度位置となるようにステッピングモータにより流量制御弁１０の弁体が駆動されてガス流量が制御されて、ガスコンロ部２ａ，２ｂの火力が、「１」〜「５」の５段階で、また、小火力のガスコンロ部２ｃの火力が、「１」〜「３」の３段階で制御できるようになっている。一方、消火にあたっては、前方に突出している加熱状態調節部１２ａ〜１２ｃを後方に押圧操作することで器具栓がＯＦＦとなってガスコンロ部２ａ〜２ｃのコンロバーナが消火される。
【００４８】
コンロ本体１の前面の左右の下部には、操作パネル１４，１５が収納自在に設けられている。右側の操作パネル１５には、グリル３に関する操作を行うためのグリル用調理設定入力部１６が設けられ、この操作パネル１５がグリル側操作パネルとなり、左側の操作パネル１４には、小火力のガスコンロ部２ｃによる調理設定の入力を行うためのガスコンロ用調理設定入力部1７が設けられ、この操作パネル１４がコンロ側操作パネルとなっている。
【００４９】
図３には、ガスコンロ用調理設定入力部１７を示している。小火力のガスコンロ部２ｃによる調理設定の入力を行うためのガスコンロ用調理設定入力部１７は、ガスコンロ部２ｃによる調理時間を設定するためのタイマースイッチ１８、揚げ物、炊飯、湯沸し、ケーキの自動調理のメニューをそれぞれ設定するための各メニュースイッチ１９〜２２、及び、前記各スイッチ１８〜２２を操作して設定した各入力を取り消すための取消しスイッチ２３等を備えている。
【００５０】
タイマ設定部としてのタイマースイッチ１８の「＋」スイッチ１８ａ，「−」スイッチ１８ｂを押すことにより、１分単位で１分〜１２０分迄のタイマ時間を設定することができ、設定されるタイマ時間が、表示部１８ｃに表示される。タイマ時間が設定されない場合は、初期設定値として、６０分が表示される。また、設定された調理モードの実行中は、残り時間表示部としての表示部１８ｃには、残り時間が１分となるまでは１分の時間経過と共にデクリメントされた分単位の残り時間が、表示され、残り時間が１分未満になると、残り時間が３０秒なるまでは、「１分」の値が表示され、残り時間が３０秒以下になると、ブザーで報知すると共に、１秒単位で１秒の時間経過と共にデクリメントされた秒単位の残り時間が、表示され、残り時間が０になると「０」が１０回点滅し、ガスコンロ部２ｃが消火し、設定された調理モードは終了する。
【００５１】
なお、タイマ時間が設定された調理モードの実行中に、タイマースイッチ１８の「＋」スイッチ１８ａ又は「−」スイッチ１８ｂを押すことにより、タイマ時間の設定の変更ができ、設定可能な最大時間は１２０分迄であり、ガスコンロ部２ｃの連続使用可能時間は１２０分迄としている。
【００５２】
上記自動調理のメニュースイッチ１９〜２２の内、揚げ物用のメニュースイッチ１９を押すことで揚げものを自動調理で行う揚げ物モードとすることができ、この揚げ物用のメニュースイッチ１９を何回押すかによって、２００℃、１８０℃、１６０℃といった複数種類の揚げ物の調理の中から目的とする温度の揚げ物調理を設定することができる。また、炊飯用のメニュースイッチ２０を押すことで炊飯を自動調理で行う炊飯モードとすることができ、この炊飯用のメニュースイッチ２０を何回押すかによって、ご飯、おかゆといった複数種類の炊飯の調理の中から目的とする炊飯の調理を設定することができる。また、湯沸し用のメニュースイッチ２１を押すことで湯沸しを自動調理で行う湯沸しモードとすることができ、この湯沸し用のメニュースイッチ２１を何回押すかによって、自動消火、５分保温といった湯沸し後にすぐ消火するか、あるいは一定時間保温するかといった湯沸しを選択して設定することができる。
【００５３】
更に、この実施形態では、ケーキ用のメニュースイッチ２２を押すことでスポンジケーキを自動調理で行うケーキ調理モードとすることができ、このケーキ用のメニュースイッチ２２を押す度に、「高」→「中」→「低」とサイクリックに切替わると共に、対応する各表示ランプ２４ａ，２４ｂ，２４ｃが点灯する。この「高」、「中」、「低」を選択することによって、後述のように、火力を切替え制御するための、加熱開始後の最初の高温側の設定温度及び最初の低温側の設定温度を、高温（１８５℃，１６０℃）、中温（１８０℃，１５５℃）、低温（１７５℃，１５０℃）のいずれかに設定することができる。これによって、例えば、ケーキの生地の温度などに応じて、高温、中温、低温のいずれかの温度を選択して設定して、焼き上がり状態を調整することができる。
【００５４】
また、メニュースイッチ２２を押してケーキ調理モードを選択すると、表示部１８ｃには、所定の設定時間、例えば、３０分が表示される。この設定時間は、タイマースイッチ１８の「＋」スイッチ１８ａを押すごとに、１分単位で＋１０分まで設定ができ、「−」スイッチ１８ｂを押すごとに、１分単位で−１０分までの設定ができ、前記設定時間は、例えば、２０分〜４０分の範囲で変更可能である。
【００５５】
ケーキ用のメニュースイッチ２２を押してケーキ調理モードを設定した後、加熱状態調節部１２ｃを押し操作することによって、ガスコンロ部２ｃを点火し、ケーキ調理モードによる制御が開始される。あるいは、ガスコンロ部２ｃを点火した後に、上記のようにメニュースイッチ２２を操作してケーキ調理モードを設定し、ケーキ調理モードによる制御が開始される。
【００５６】
なお、ケーキ調理モードによる制御が開始された後に、タイマースイッチ１８による前記設定時間を変更することも可能である。
【００５７】
上記のようにガスコンロ用調理設定入力部１７において、小火力のガスコンロ部２ｃによる調理の設定入力が行われると、制御部１１により予め設定された制御内容に基づいて、ガスコンロ部２ｃにおける火力調整、調理時間等が制御される。この場合、鍋の底部の温度を温度センサ７ｃにより検出して、該温度センサ７ｃで検出した鍋の底部の温度を、制御部１１に入力してフィードバック制御により火力調整を行うようになっている。   また、制御部１１は、タイマースイッチ１８によって設定されるタイマ時間を計測する。
【００５８】
各ガスコンロ部２ａ〜２ｃの使用に当たっては、手動により加熱を行う場合には、コンロ本体１の前面に露出している加熱状態調節部１２ａ〜１２ｃを直接指で操作して制御部１１に指令を与えて点火、火力調整、消火を行うと共に、小火力のガスコンロ部２ｃで自動調理を行う場合には、主として制御部１１によりガス流量及び火力が調整される。
【００５９】
また、自動調理の終了、タイマ機能、あるいは、安全装置により異常が検知されることで、自動消火される場合があり、この場合には点火・消火操作部は器具栓をＯＮとする状態であっても安全弁により燃料ガスが遮断されて消火される。  
【００６０】
この実施形態では、メニュースイッチ２２を操作してケーキ調理モードを設定することによって、ガスコンロ部２ｃによってスポンジケーキの自動調理を行うものである。
【００６１】
ここで、鍋にスポンジケーキの生地を入れて、鍋をガスコンロ部２ｃにかけて加熱し、温度センサ７ｃによって検出される鍋の底部の検出温度を一定の設定温度に維持するように火力を制御して調理した場合について説明する。
【００６２】
スポンジケーキの焼き上がりが膨らみ不足とならないようにするためには、前記設定温度を１８０℃程度に高くする必要があるが、かかる高温の設定温度では、焼き上がったときのスポンジケーキの底面が焦げ過ぎてしまう。
【００６３】
これに対して、焼き上がったときのスポンジケーキの底面の焦げを抑制するためには、前記設定温度を１５０℃程度に低くする必要があるが、かかる低温の設定温度では、焼き上がったときのスポンジケーキが膨らみ不足となってしまう。
そこで、この実施形態では、スポンジケーキの焼き上がりが膨らみ不足とならず、かつ、焼き上がったときのスポンジケーキの底面の焦げが抑制された良好な仕上がり状態とするために、次のようにしている。
【００６４】
すなわち、スポンジケーキの自動調理では、ガスコンロ部２ｃの火力を、小火である火力「１」と、大火である火力「３」との２段階で切替え制御し、温度センサ７ｃによって検出される鍋の検出温度が、高温側の設定温度と低温側の設定温度とによって規定される温度範囲となるように、上昇及び下降させ、調理の進行に伴って変化する検出温度の下降温度勾配に基づいて、高温側の設定温度と低温側の設定温度とを更新するようにしている。
【００６５】
このようにスポンジケーキの焼き上がりが膨らみ不足とならないように、ガスコンロ部２ｃの火力を、大火である火力「３」にして高温側の設定温度まで加熱する一方、スポンジケーキの底面の焦げを抑制するために、ガスコンロ部２ｃの火力を、小火である火力「１」に切替えて低温側の設定温度まで下降させ、温度センサ７ｃによって検出される鍋の温度が、高温側の設定温度と低温側の設定温度とによって規定される温度範囲となるように、ガスコンロ部２ｃの火力を、切替え制御している。
【００６６】
このように高温側の設定温度と低温側の設定温度とによって規定される温度範囲で、温度センサ７ｃによって検出される鍋の温度を、上昇及び下降させるので、鍋の温度を、高温側の設定温度又は低温側の設定温度に維持するように、火力を制御する場合のように、焼き上がったときのスポンジケーキの底面が焦げ過ぎたり、逆に、焼き上がったときのスポンジケーキが膨らみ不足となったりするのを防止することができる。
【００６７】
調理が進行するのに伴って、スポンジケーキの生地全体の温度が上昇すると、温度センサ７ｃによる検出温度の下降温度勾配が緩やかになるので、この下降温度勾配に応じて高温側及び低温側の設定温度をそれぞれ更新する。具体的には、調理が進行するのに伴って、高温側の設定温度及び低温側の設定温度を、それぞれ低い温度に更新する。
【００６８】
したがって、調理の開始時には、温度センサ７ｃによって検出される鍋の底部の検出温度が、高温側の設定温度と低温側の設定温度とで規定される高めの温度範囲で上昇及び下降するように、ガスコンロ部２ｃの火力が切替え制御される。そして、調理が進行するのに伴って、すなわち、スポンジケーキの生地全体の温度が上昇するのに伴って、高温側の設定温度と低温側の設定温度とが低い温度に更新されて、前記両設定温度で規定される前記温度範囲が、低めの温度範囲となり、温度センサ７ｃによって検出される鍋の底部の検出温度が、低めの温度範囲で上昇及び下降するように、ガスコンロ部２ｃの火力が切替え制御されることになる。つまり、スポンジケーキの生地全体の温度が上昇するのに伴って、鍋の検出温度が、低めの適切な温度範囲で制御されることになる。
【００６９】
このようにして、スポンジケーキの焼き上がりが膨らみ不足とならず、かつ、焼き上がったときのスポンジケーキの底面の焦げが抑制された良好な仕上がり状態となるようにしている。
【００７０】
次に、この実施形態のケーキ調理モードの制御について、図４及び図５のフローチャートに基づいて、説明する。
【００７１】
図４は、ケーキ調理モードが設定されて、加熱が開始された後の、スポンジケーキの生地が入れられた鍋の底部の検出温度の変化及び火力の切替えを示すものであり、横軸が時間及び火力を、縦軸が温度を示している。
【００７２】
この図４では、メニュースイッチ２２によって、「中」が選択され、加熱開始後の最初の高温側の設定温度及び最初の低温側の設定温度として、中温、すなわち、高温側の設定温度として１８０℃、低温側の設定温度として１５５℃が設定された例を示している。
【００７３】
スポンジケーキの生地を入れた鍋をガスコンロ部２ｃに載置し、ガスコンロ部２ｃを点火すると、火力が、大火である火力「３」にされて加熱が開始される（ステップｎ１）。温度センサ７ｃによって検出される鍋の底部の検出温度が、「中温」に対応する最初の高温側の設定温度である第１高温側設定温度ＴＵ１（１８０℃）に達したか否かを判断し（ステップｎ２）、第１高温側設定温度ＴＵ１に達したときには、その時点ｔ１で、火力を、小火である火力「１」に切替え、火力「１」で加熱する（ステップｎ３）。
【００７４】
火力「１」に切替え後、温度センサ７ｃの検出温度の下降温度勾配を計測する。この実施形態では、下降温度勾配として、検出温度が、一定温度、例えば、１５℃低下するに要する下降時間を計測し（ステップｎ４）、「中温」に対応する最初の低温側の設定温度である第１低温側設定温度ＴＬ１（１５５℃）まで下降したか否かを判断し（ステップｎ５）、第１低温側設定温度ＴＬ１まで下降したときには、その時点ｔ２で、火力を、再び火力「３」に切り替え、火力「３」で加熱する（ステップｎ６）。
【００７５】
次に、計測した下降時間に基づいて、高温側設定温度、及び、低温側設定温度をそれぞれ更新する。例えば、第１高温側設定温度ＴＵ１及び第１低温側設定温度ＴＬ１を、加熱開始から２番目の高温側設定温度である第２高温側設定温度ＴＵ２、及び、第２低温側設定温度ＴＬ２にそれぞれ更新する（ステップｎ７）。
【００７６】
ここで、計測した下降時間に基づく高温側設定温度及び低温側設定温度の更新について説明する。
【００７７】
検出温度が、一定温度、例えば、１５℃低下するに要する下降時間は、調理の進行状況に応じて変化し、スポンジケーキの生地全体の温度が上昇するに連れて、下降時間は長くなる。
【００７８】
制御部１１には、下降時間に応じた高温側設定温度及び低温側設定温度が予めテーブルとして記憶されており、計測された下降時間に基づいて、高温側設定温度及び低温側設定温度を、記憶されている高温側設定温度及び低温側設定温度に更新する。
【００７９】
図６は、このテーブルの一例を示すものである。この図６に示すように、計測された下降時間が、例えば、０〜３９秒であるときには、低温側設定温度を１５５℃に、高温側設定温度を１８０℃にそれぞれ更新する。また、計測された下降時間が、例えば、４０〜７９秒であるときには、低温側設定温度を１５０℃に、高温側設定温度を１７５℃にそれぞれ更新する。このように計測された下降時間が長い程、すなわち、調理が進行してスポンジケーキの生地全体の温度が上昇する程、高温側設定温度及び低温側設定温度を、それぞれ低い温度に更新する。
【００８０】
そして、計測される下降時間が、１２０秒以上になると、低温側設定温度を１４０℃に、高温側設定温度を１６５℃にそれぞれ更新し、低温側設定温度は１４０℃未満に更新されることはなく、高温側設定温度は１６５℃未満に更新されることはない。したがって、計測される下降時間が１２０秒以上になると、低温側設定温度は、１４０℃に、高温側設定温度は、１６５℃にそれぞれ繰り返し更新されることになる。
【００８１】
なお、図６のテーブルには、加熱開始後の最初の高温側の設定温度及び最初の低温側の設定温度を含めてもよく、この場合には、高温、中温、低温の各テーブルを制御部１１に格納しておき、上記のメニュースイッチ２２の操作に応じて、対応するテーブルを読み出して設定温度を更新するようにすればよい。また、この場合に、下降時間に応じた設定温度の内容を、テーブル毎に異ならせてもよい。
【００８２】
このようにして、図５のステップｎ７では、計測された下降時間に応じて、図６に示される高温側設定温度及び低温側設定温度に更新される。
【００８３】
例えば、計測された下降時間が、４０秒〜７９秒であれば、第１高温側設定温度ＴＵ１及び第１低温側設定温度ＴＬ１は、図６に示すように、１７５℃の第２高温側設定温度ＴＵ２、及び、１５０℃の第２低温側設定温度ＴＬ２にそれぞれ更新される。
【００８４】
図５のステップｎ７で、高温側設定温度及び低温側設定温度が更新された後、タイマ時間である設定時間が経過したか否かを判断し（ステップｎ８）、経過していないときには、検出温度が、更新された高温側設定温度に達したか否かを判断し（ステップｎ９）、達していないときには、ステップｎ８に戻る。ステップｎ９で更新された高温側設定温度、例えば、加熱開始から２番目の高温側設定温度である第２高温側設定温度ＴＵ２に達したときには、その時点ｔ３で、火力を、小火である火力「１」に切替え、火力「１」で加熱する（ステップｎ１０）。火力「１」に切替え後、上記と同様に、下降時間を計測し（ステップｎ１１）、タイマ時間である設定時間が経過したか否かを判断し（ステップｎ１２）、経過していないときには、検出温度が、更新された低温側設定温度まで下降したか否かを判断し（ステップｎ１３）、下降していないときには、ステップｎ１１に戻る。
【００８５】
ステップｎ１３で更新された低温側設定温度、例えば、加熱開始から２番目の低温側設定温度である第２低温側設定温度ＴＬ２まで下降したときには、ステップｎ６に戻り、その時点ｔ４で、火力を、大火である火力「３」に切替え、火力「３」で加熱する。
【００８６】
次に、計測した下降時間に基づいて、上記図６のテーブルに従って、高温側設定温度、及び、低温側設定温度をそれぞれ更新する。例えば、計測された下降時間が、８０秒〜１１９秒であれば、第２高温側設定温度ＴＵ２及び第２低温側設定温度ＴＬ２は、図６に示すように、１７０℃の第３高温側設定温度ＴＵ３、及び、１４５℃の第３低温側設定温度ＴＬ３にそれぞれ更新される（ステップｎ７）。
【００８７】
次に、設定時間が経過したか否かを判断し（ステップｎ８）、経過していないときには、検出温度が、更新された高温側設定温度に達したか否かを判断し（ステップｎ９）、 例えば、加熱開始から３番目の高温側設定温度である第３高温側設定温度ＴＵ３に達したときには、その時点ｔ５で、火力を、小火である火力「１」に切替え、火力「１」で加熱する（ステップｎ１０）。火力「１」に切替え後、上記と同様に、下降時間を計測し（ステップｎ１１）、設定時間が経過したか否かを判断し（ステップｎ１２）、経過していないときには、検出温度が、更新された低温側設定温度まで下降したか否かを判断し（ステップｎ１３）、例えば、加熱開始から３番目の低温側設定温度である第３低温側設定温度ＴＬ３まで下降したときには、ステップｎ６に戻り、その時点ｔ６で、火力を、大火である火力「３」に切替え、火力「３」で加熱する。
【００８８】
以下、同様にして、計測した下降時間に基づいて、上記図６のテーブルに従って、高温側設定温度、及び、低温側設定温度をそれぞれ更新する。例えば、計測された下降時間が、１２０秒以上であれば、第３高温側設定温度ＴＵ３及び第３低温側設定温度ＴＬ３は、図６に示すように、１６５℃の第４高温側設定温度ＴＵ４、及び、１４０℃の第４低温側設定温度ＴＬ４にそれぞれ更新される（ステップｎ７）。
【００８９】
次に、設定時間が経過したか否かを判断し（ステップｎ８）、経過していないときには、検出温度が、更新された高温側設定温度に達したか否かを判断し（ステップｎ９）、    例えば、加熱開始から４番目の高温側設定温度である第４高温側設定温度ＴＵ４に達したときには、その時点ｔ７で、火力を、小火である火力「１」に切替え、火力「１」で加熱する（ステップｎ１０）。火力「１」に切替え後、上記と同様に、下降時間を計測し（ステップｎ１１）、設定時間が経過したか否かを判断し（ステップｎ１２）、経過していないときには、検出温度が、更新された低温側設定温度まで下降したか否かを判断し（ステップｎ１３）、例えば、加熱開始から４番目の低温側設定温度である第４低温側設定温度ＴＬ４に達したときには、ステップｎ６に戻り、その時点ｔ８で、火力を、大火である火力「３」に切替え、火力「３」で加熱する。
【００９０】
同様に、計測した下降時間に基づいて、上記図６のテーブルに従って、高温側設定温度、及び、低温側設定温度をそれぞれ更新する。例えば、計測された下降時間が、１２０秒以上であれば、第４高温側設定温度ＴＵ４及び第４低温側設定温度ＴＬ４は、図６に示すように、１６５℃の第５高温側設定温度ＴＵ５、及び、１４０℃の第５低温側設定温度ＴＬ５にそれぞれ更新される（ステップｎ７）。この場合、前回の更新温度である、第４高温側設定温度ＴＵ４、及び、第４低温側設定温度ＴＬ４と同じ温度に更新されることになる。
【００９１】
次に、設定時間が経過したか否かを判断し（ステップｎ８）、経過していないときには、検出温度が、更新された高温側設定温度に達したか否かを判断し（ステップｎ９）、例えば、加熱開始から５番目の高温側設定温度である第５高温側設定温度ＴＵ５に達したときには、その時点ｔ９で、火力を、小火である火力「１」に切替え、火力「１」で加熱する（ステップｎ１０）。
【００９２】
図４の例では、火力「１」による加熱中に、設定時間であるタイマ時間が経過すると(ステップｎ１２)、表示部１８ｃに、「０」を１０回点滅して消灯すると共に、中温に対応する表示ランプ２４ｂを１０回点滅して消灯する。同時に、ガスコンロ部２ｃを消火し(ステップｎ１４)、ケーキ調理モードが終了する。
【００９３】
なお、図５には示していないが、大火である火力「３」による加熱中は、積算部を有する制御部１１は、加熱開始から、火力「３」による加熱時間を積算する処理を並行して行っており、積算時間が、所定の上限時間、例えば４分になると、図７に示すように、その時点ｔ７で、火力「３」を強制的に小火である火力「１」に切替えて、それ以降は、設定時間であるタイマ時間が経過するまで、火力「１」による加熱を継続するようにしている。これによって、大火である火力「３」による加熱時間が長くなり過ぎて、スポンジケーキの底面が焦げ過ぎるのを防止している。
【００９４】
以上のように、本実施形態では、温度センサ７ｃによる鍋の底部の検出温度が、高温側の設定温度と低温側の設定温度とによって規定される温度範囲で上昇及び下降するように、ガスコンロ部２ｃの火力を、火力「３」と火力「１」とに切替え制御すると共に、調理の進行に連れて、前記両設定温度を更新して前記温度範囲を更新し、鍋の検出温度が、更新された温度範囲で上昇及び下降するように、ガスコンロ部２ｃの火力の切替え制御を、タイマ時間が経過するまで繰り返すので、スポンジケーキの焼き上がりが膨らみ不足とならず、かつ、焼き上がったときのスポンジケーキの底面の焦げが抑制された良好な仕上がり状態となる。
【００９５】
（他の実施形態）
上記ケーキ調理モードには、パンの調理を含めることができる。本発明は、ケーキ調理モードに限らず、内部まで火の通りにくい焼き物や揚げ物調理、例えば、ローストビーフ、ハンバーグ、１枚肉での照り焼き、ポークソテーなどに適用することができる。また、冷凍食品で、焼け色を抑制して火を通したいような調理にも適用することができる。
【００９６】
上記実施形態では、検出温度の下降の温度勾配に基づいて、高温側及び低温側の設定温度を更新したけれども、検出温度の上昇の温度勾配に基づいて、高温側及び低温側の設定温度を更新してもよく、検出温度の下降の温度勾配及び上昇の温度勾配に基づいて、高温側及び低温側の設定温度を更新してもよい。
【００９７】
上記実施形態では、温度センサによる検出温度が、高温側の設定温度又は低温側の設定温度に達すると、直ぐに検出温度を、下降又は上昇させたけれども、高温側の設定温度付近又は低温側の設定温度付近に前記検出温度を短い時間維持するようにしてもよい。
上記実施形態では、高温側の設定温度及び低温側の設定温度の両設定温度を更新したけれども、いずれか一方の設定温度を更新してもよい。
【００９８】
上記実施形態では、小火力のガスコンロ部２ｃに適用して説明したが、標準火力のガスコンロ部２ａや高火力のガスコンロ部２ｂに適用することもできる。
【００９９】
上記実施形態では、ガスバーナによって調理容器を加熱するガスコンロに適用して説明したが、電気ヒータによって調理容器を加熱する電気コンロにも適用できるのは勿論である。
【０１００】
また、コンロは必ずしもビルトインタイプに限られるものではなく、卓上型のコンロであってもよい。
【符号の説明】
【０１０１】
２ａ〜２ｃ        ガスコンロ部
３                グリル
7ａ〜７ｃ         温度センサ
１１              制御部
１２ａ〜１２ｃ    加熱状態調節部
１７              ガスコンロ用調理設定入力部
１８              タイマースイッチ
２２              ケーキ調理用メニュースイッチ
【図１】
2014211262.tif 000003
【図２】
2014211262.tif 000004
【図３】
2014211262.tif 000005
【図４】
2014211262.tif 000006
【図５】
2014211262.tif 000007
【図６】
2014211262.tif 000008
【図７】
2014211262.tif 000009